(57)【要約】【課題】窓際のペリメータゾーンの天井、或いは、狭い店舗や細長い店舗等の天井に設置が好適な天井埋込型空気調和装置を提供する。【解決手段】熱交換器６及び送風機８を有するユニット本体２００と、このユニット本体２００の下端に配置され、吸込口３０１及び吹出口３０２を有するグリル３００とを備えた天井埋込型空気調和装置において、吸込口３０１から吸い込んだ空気を清浄化するフィルタ１１を、前記ユニット本体２００内に、縦置き或いは斜め縦置きに配置した。【選択図】      図２
2006084083.tif 000002
【特許請求の範囲】
【請求項１】
熱交換器及び送風機を有するユニット本体と、このユニット本体の下端に配置され、吸込口及び吹出口を有するグリルとを備えた天井埋込型空気調和装置において、吸込口から吸い込んだ空気を清浄化するフィルタを、前記ユニット本体内に、縦置き或いは斜め縦置きに配置したことを特徴とする天井埋込型空気調和装置。
【請求項２】
前記空気調和装置が、一つの吸込口から吸い込んだ空気を、ユニット本体内の熱交換器で熱交換した後、一つの吹出口から吹き出す一方向カセット型の空気調和装置であることを特徴とする請求項１記載の天井埋込型空気調和装置。
【請求項３】
一つの吸込口及び一つの吹出口の形状がほぼ同一形状であることを特徴とする請求項１又は２記載の天井埋込型空気調和装置。
【請求項４】
前記フィルタはグリルの着脱口を通じて取り外し自在であることを特徴とする請求項１乃至３のいずれか一項記載の天井埋込型空気調和装置。
【請求項５】
前記フィルタの下端に前記着脱口を塞ぐプレートを備えたことを特徴とする請求項４記載の天井埋込型空気調和装置。
【請求項６】
前記フィルタを自動昇降させるフィルタ昇降機構を備えたことを特徴とする請求項１乃至５のいずれか一項記載の天井埋込型空気調和装置。
【発明の詳細な説明】
【技術分野】
【０００１】
本発明は天井埋込型空気調和装置に関する。
【背景技術】
【０００２】
一般に、熱交換器及び送風機を有するユニット本体と、このユニット本体の下端に配置され、吸込口及び吹出口を有するグリルとを備え、吸込口から吸い込んだ被調和室内の空気を、熱交換器で熱交換した後、吹出口から被調和室内に吹き出す天井埋込型空気調和装置が知られている（例えば、特許文献１参照）。
【特許文献１】実公平２−４３３７号公報
【発明の開示】
【発明が解決しようとする課題】
【０００３】
この種のものには、４方向カセット型、２方向カセット型、１方向カセット型等が知られているが、いずれもグリルの吸込口の上面に、フィルタを横置きに設けているため、フィルタ面積を十分に確保するためには、その吸込口を大きくしなければならず、グリルの幅寸法が必然的に大きくなるといった問題があった。
一般的な建物において、この空気調和装置を、窓際のペリメータゾーンの天井に設置する場合には、その設置面積が十分に確保できない場合がある。また、狭い店舗や細長い店舗等の天井に設置する場合には、照明器具との取り合いがあり、十分な設置スペースを確保できない場合がある。これらの場合、上述したように、グリルの幅寸法があまり大きくなると、その設置が困難になる等の問題があった。
【０００４】
そこで、本発明の目的は、上述した従来の技術が有する課題を解消し、窓際のペリメータゾーンの天井、或いは、狭い店舗や細長い店舗等の天井に設置が好適な天井埋込型空気調和装置を提供することにある。
【課題を解決するための手段】
【０００５】
本発明は、熱交換器及び送風機を有するユニット本体と、このユニット本体の下端に配置され、吸込口及び吹出口を有するグリルとを備えた天井埋込型空気調和装置において、吸込口から吸い込んだ空気を清浄化するフィルタを、前記ユニット本体内に、縦置き或いは斜め縦置きに配置したことを特徴とする。
この場合において、前記空気調和装置が、一つの吸込口から吸い込んだ空気を、ユニット本体内の熱交換器で熱交換した後、一つの吹出口から吹き出す一方向カセット型の空気調和装置であってもよい。また、一つの吸込口及び一つの吹出口の形状がほぼ同一形状であってもよい。前記フィルタはグリルの着脱口を通じて取り外し自在であってもよい。前記フィルタの下端に前記着脱口を塞ぐプレートを備えていてもよい。前期フィルタを自動昇降させるフィルタ昇降機構を備えていてもよい。
【発明の効果】
【０００６】
本発明によれば、吸込口から吸い込んだ空気を清浄化するフィルタを、ユニット本体内に、縦置き或いは斜め縦置きに配置したため、当該ユニット本体、並びにグリルの幅寸法を、従来比でかなり小さくすることができる。
【発明を実施するための最良の形態】
【０００７】
以下、本発明の一実施形態を添付した図面を参照して解説する。
【０００８】
図１において、１００は空気調和装置を示している。この空気調和装置１００は、室外機１００Ａと室内機１００Ｂとを備えて構成されている。室外機１００Ａは、冷媒を圧縮する圧縮機１を備え、この圧縮機１には、四方弁２を介して、室外熱交換器３が接続されている。この室外熱交換器３には、室外側メカ弁４が接続され、この室外側メカ弁４は、室内機１００Ｂに設けられた室内側メカ弁５に接続され、この室内側メカ弁５には、室内熱交換器６が接続されている。８は室内送風機である。前記室内熱交換器６には、前記四方弁２を介して、室外機１００Ａ側のアキュームレータ７が接続され、このアキュームレータ７は、圧縮機１に接続されている。
【０００９】
この空気調和装置１００において、実線の矢印は、冷房運転時の冷媒の流れを示す。圧縮機１から吐出された冷媒は、四方弁２を経て室外熱交換器３に至り、ここで凝縮する。そして、メカ弁４、５を経て室内熱交換器６に至り、ここで、室内送風機８からの送風を受けて蒸発して、四方弁２、アキュームレータ７を経て圧縮機１に戻る。上述した室内送風機８による送風により被調和室が冷房される。
【００１０】
図中で破線矢印は、暖房運転時の冷媒の流れを示す。この場合において、圧縮機１から吐出された冷媒は、四方弁２を経て室内熱交換器６に至り、ここで、室内送風機８からの送風を受けて凝縮した後、メカ弁５、４を経て室外熱交換器３に至る。そして、ここで蒸発して、四方弁２、アキュームレータ７を経て圧縮機１に戻る。上述した室内送風機８による送風により被調和室が暖房される。
【００１１】
本構成の室内機１００Ｂは、図２に示すように、被調和室の天井１０１に埋め込まれている。この室内機１００Ｂはユニット本体２００を備え、このユニット本体２００内には仕切り壁３１で仕切られた第一の空間Ａ、及び第二の空間Ｂが形成されている。仕切り壁３１の上部空間Ｃには、クロスフローファンで構成される室内送風機８が配置され、この室内送風機８の下流側、即ち、第二の空間Ｂ内には、室内熱交換器６と、この室内熱交換器６からのドレンを受けるドレンパン１３とが配置され、室内送風機８の上流側、即ち、第一の空間Ａ内には、空気を清浄化するフィルタ１１が、フィルタ面１１Ａをほぼ鉛直方向に延在させて縦置きに配置されている。
【００１２】
また、ユニット本体２００の下端には、被調和室に露出する化粧用のグリル３００が配置されている。このグリル３００は、一つの吸込口３０１及び一つの吹出口３０２を有し、吹出口３０２には、ルーバー１０が取り付けられている。一つの吸込口３０１及び一つの吹出口３０２は、図３に示すように、グリル３００の長手方向に横長に存在し、その長さ寸法Ｌ１及び幅寸法Ｗ１は、互いにほぼ同一寸法に形成され、それぞれの寸法は大きい順に、吸込口３０１及び吹出口３０２の長さ寸法Ｌ１、グリル３００全体の幅寸法Ｗ０、吸込口３０１及び吹出口３０２の幅寸法Ｗ１となる。具体的には、吸込口３０１及び吹出口３０２の長さ寸法Ｌ１＝１２３０ｍｍ、グリル３００全体の幅寸法Ｗ０＝３３０ｍｍ、吸込口３０１及び吹出口３０２の幅寸法Ｗ１＝５５ｍｍである。また、本実施形態におけるその他の寸法は、吸込口３０１及び吹出口３０２からグリル３００の長辺端までの寸法Ｗ２＝４０ｍｍ、吸込口３０１と吹出口３０２との間の寸法Ｗ３＝１４０ｍｍである。なお、本発明における吸込口３０１及び吹出口３０２の幅寸法Ｗ１は４０〜７０ｍｍ程度、すなわち、吸込口３０１及び吹出口３０２の幅寸法Ｗ１とグリル３００全体の幅寸法Ｗ０との比Ｗ１／Ｗ０は１２（４０／３３０）〜２１（７０／３３０）％程度が好ましい。ここで、Ｗ１／Ｗ０を１２％以上とすることにより、十分な吸込口及び吹出口面積が得られ、また、Ｗ１／Ｗ０を２１％以下とすることにより、熱交換器６及びそのドレンパン１３等を設置するのに十分な吸込口３０１と吹出口３０２との間の寸法Ｗ３が得られる。従って、本構成ではＷ１／Ｗ０が１２〜２１％と設定され、従来のグリル３００の幅寸法と比べた場合、かなり小さく形成されている。
この空気調和装置が運転されると、一つの吸込口３０１から吸い込まれた空気が、図２を参照して、フィルタ１１により清浄化され、熱交換器６で熱交換した後に、一つの吹出口３０２から被調和室に吹き出される。
【００１３】
本実施形態では、上述したように、フィルタ１１がユニット本体２００内に縦置きに設けられている。このフィルタ１１は、図４に示すように、２分割されており、それぞれのフィルタ部分１１Ａ、１１Ｂは、ユニット本体２００の側壁２００Ａ、及び中央部２００Ｂに形成されたフィルタガイド１４に沿って、このユニット本体２００から取り出し自在に構成されている。この場合、フィルタ１１の下端には、図２に示すように、プレート１１Ｐが取り付けられており、このプレート１１Ｐは、グリル３００に形成された着脱口３００Ａを介してフィルタ１１がユニット本体２００内に格納された場合、その着脱口３００Ａを閉塞するように構成されている。
【００１４】
フィルタ１１の上端には、図２又は図５に示すように、ひも２０が接続されており、このひも２０は、ユニット本体２００内を上方に延出し、ころ２１Ａを介して水平に方向転換した後、巻き取りローラ２１Ｂに巻かれ、この巻き取りローラ２１Ｂは、整流版２２の裏に設けられたモータ１８に連結されている。このモータ１８、巻き取りローラ２１Ｂ等は、フィルタ巻上げ装置１９を構成する。
このフィルタ巻上げ装置１９を、より詳細に説明すると、各フィルタ部分１１Ａ、１１Ｂは、図６に示すように、それぞれ２本のひも２０ａ〜ｄで吊り下げられている。各ひも２０ａ〜ｄは、個別に巻き取りローラ２１Ｂに巻き取られ、これらの巻き取りローラ２１Ｂは、１本のシャフト２３に連結されている。そして、このシャフト２３の中央には、伝動ギア２３Ａが連結され、この伝動ギア２３Ａには、モータ１８の出力軸に連結されたギア（図示せず）が噛み合わされている。
【００１５】
このフィルタ巻上げ装置１９は、例えば、図示を省略したリモコンの操作によってフィルタ１１の昇降時に動作される。
リモコンが操作され、モータ１８が駆動されると、その回転力が伝動ギア２３Ａに伝達され、シャフト２３が回転する。このシャフト２３が回転すると、このシャフト２３に固定された巻き取りローラ２１Ｂが回転し、それが正回転の場合には、ひも２０が繰り出されて、図５及び図６に示すように、例えば、作業員がフィルタメンテナンス作業を容易に行える高さまでフィルタ１１が下降する。シャフト２３が逆回転の場合には、巻き取りローラ２１Ｂがひも２０を巻き取り、図４に示すように、フィルタ１１が上昇し、ユニット本体２００内の定位置に収納される。
【００１６】
本実施形態では、上述したように、フィルタ１１が、ユニット本体２００内の定位置に縦置きに設けられるため、まず、ユニット本体２００の幅寸法Ｗを小さく形成することができ、従って、グリル３００の幅寸法Ｗ０を小さく形成することができる。これによって、建物のペリメータゾーンの天井、或いは、狭い店舗や細長い店舗等の天井に、照明器具との取り合いを考慮した上で、好適な配置が可能になる。
また、このフィルタ１１は、フィルタ面１１Ａを、ほぼ延著方向に延在させて縦置きに配置されるため、フィルタ面１１Ａに対向する吸い込み空間Ａが縦長になり、グリル３００の吸込口３０１の幅寸法Ｗ１が小さく形成されたとしても、フィルタ面１１Ａの面積を、従来の構成と同様に大きく確保することができ、従って、フィルタ１１の目詰まりが防止され、吸込圧力損失の低下が防止される。
【００１７】
ユニット本体２００内には、図２に示すように、仕切り壁３１が形成され、この仕切り壁３１は、フィルタ１１に対し、送風機８との距離が近くなるにつれて間隔が広くなるように角度を持たせて形成されている。これによれば、フィルタ１１全面に亘る風量分布をほぼ均等に配分することが可能となる。
図４及び図６に示すように、ユニット本体２００の側壁の外面には、吊り金具１１５が固定され、この吊り金具１１５には、天井から垂下する吊りボルト１１６が貫通し、ボルト１１６の突出下端にナット１６を締め付けることにより、当該ユニット本体２００が、天井から吊り下げられている。
【００１８】
本実施形態では、図３に示すように、グリル３００の短辺両端に、それぞれカバー１７が着脱自在に取り付けられている。
本空気調和装置を天井に取り付けた後、室内機の設置高さを調整する場合がある。この場合において、グリル３００からカバー１７を取り外せば、そこにはナット１６が露出する。従って、カバー１７が外された後の空間から工具を挿入し、ナット１６をゆるめれば、その自重によって、吊りボルト１１６に吊られたユニット本体２００の位置が下がり、それを締めれば、ユニット本体２００の位置が上昇し、これによって、室内機の設置高さを容易に調節することが可能になる。
【００１９】
以上、一実施形態に基づいて本発明を説明したが、本発明は、これに限定されるものではない。上記構成の天井埋込型空気調和装置は、いわゆる１方向カセット型の天井埋込型空気調和装置であったが、これに限定されず、例えば、４方向カセット型、２方向カセット型の天井埋込型空気調和装置等であってもよい。また、室内送風機８としてクロスフローファンを用いているが、これに限定されず、シロッコファン等であってもよい。さらに、フィルタ１１のフィルタ面１１Ａは、ほぼ鉛直方向に延在させて縦置きに配置されているが、これに限定されず、ユニット本体２００の幅寸法Ｗを小さく形成することができるものであれば、鉛直方向に対し、斜め縦置きであってもよい。
【図面の簡単な説明】
【００２０】
【図１】本発明による天井埋込型空気調和装置の一実施形態を示す回路図である。
【図２】同天井埋込型空気調和装置の断面図である。
【図３】グリルの平面図である。
【図４】図２のＮ−Ｎ断面図である。
【図５】フィルタを降下させた状態を示す図２相当図である。
【図６】フィルタを降下させた状態を示す図４相当図である。
【符号の説明】
【００２１】
６  室内熱交換器
８  室内送風機
１１  フィルタ
１１Ｐ  プレート
１９  フィルタ巻上げ装置（フィルタ昇降機構）
２００  ユニット本体
３００  グリル
３００Ａ  着脱口
３０１  吸込口
３０２  吹出口
【図１】
2006084083.tif 000003
【図２】
2006084083.tif 000004
【図３】
2006084083.tif 000005
【図４】
2006084083.tif 000006
【図５】
2006084083.tif 000007
【図６】
2006084083.tif 000008